(57)【要約】【課題】Ｓ／Ｎ比を改善することにより性能の向上を図る。【解決手段】情報信号の再生時に、発光素子１４から出射されたレーザー光を複数の光ビームに分割するビーム分割素子１６と、該ビーム分割素子によって分割された各光ビームの各ビームスポットをディスク状記録媒体１００の記録トラック上に所定の間隔を置いて集光させる対物レンズ１３とを設け、各ビームスポットの記録トラック上の間隔に対応した時間差を以て受光素子で受光される分割された各光ビームを、受光される順に第１ビームから第ｎビームまでとしたときに、各光ビームについて出力される信号を、受光素子で受光される第ｎビームとの時間差分だけ遅延させて第ｎビームについて出力される信号に加算してＲＦ信号を生成するようにした。【選択図】　　　　　図４
2004079038.tif 000002
【特許請求の範囲】
【請求項１】
ディスクテーブルに装着されるディスク状記録媒体の半径方向へ移動すると共に、ディスク状記録媒体へ向けてレーザー光を出射する発光素子と、該発光素子から出射されディスク状記録媒体で反射されたレーザー光を戻り光として受光する受光素子とを備えた光ピックアップであって、
ディスク状記録媒体に対する情報信号の再生時に、発光素子から出射されたレーザー光を複数の光ビームに分割するビーム分割素子と、
該ビーム分割素子によって分割された各光ビームの各ビームスポットをディスク状記録媒体の記録トラック上に所定の間隔を置いて集光させる対物レンズとを備え、
各ビームスポットの記録トラック上の間隔に対応した時間差を以て受光素子で受光される分割された各光ビームを、受光される順に第１ビームから第ｎビームまでとしたときに、
第ｎビームを除く各光ビームについて出力される信号を、受光素子で受光される第ｎビームとの時間差分だけ遅延させて第ｎビームについて出力される信号に加算してＲＦ信号を生成するようにした
ことを特徴とする光ピックアップ。
【請求項２】
ディスク状記録媒体に対して情報信号の記録及び再生を行う光ピックアップであって、
情報信号の記録時にはビーム分割素子によるレーザー光の分割を行わないようにした
ことを特徴とする請求項１に記載の光ピックアップ。
【請求項３】
ディスク状記録媒体が装着されて回転されるディスクテーブルと該ディスクテーブルに装着されるディスク状記録媒体の半径方向へ移動する光ピックアップとを備え、該光ピックアップがディスク状記録媒体へ向けてレーザー光を出射する発光素子と、該発光素子から出射されディスク状記録媒体で反射されたレーザー光を戻り光として受光する受光素子とを有するディスクドライブ装置であって、
ディスク状記録媒体に対する情報信号の再生時に、発光素子から出射されたレーザー光を複数の光ビームに分割するビーム分割素子と、
該ビーム分割素子によって分割された各光ビームの各ビームスポットをディスク状記録媒体の記録トラック上に所定の間隔を置いて集光させる対物レンズとを備え、
各ビームスポットの記録トラック上の間隔に対応した時間差を以て受光素子で受光される分割された各光ビームを、受光される順に第１ビームから第ｎビームまでとしたときに、
第ｎビームを除く各光ビームについて出力される信号を、受光素子で受光される第ｎビームとの時間差分だけ遅延させて第ｎビームについて出力される信号に加算してＲＦ信号を生成するようにした
ことを特徴とするディスクドライブ装置。
【請求項４】
ディスク状記録媒体に対して情報信号の記録及び再生を行う光ピックアップを備えたディスクドライブ装置であって、
情報信号の記録時にはビーム分割素子によるレーザー光の分割を行わないようにした
ことを特徴とする請求項３に記載のディスクドライブ装置。
【発明の詳細な説明】
【０００１】
【発明の属する技術分野】
本発明は光ピックアップ及びディスクドライブ装置についての技術分野に関する。詳しくは、Ｓ／Ｎ（Ｓｉｇｎａｌ　ｔｏ　Ｎｏｉｓｅ）比を改善することにより性能の向上を図る技術分野に関する。
【０００２】
【従来の技術】
ディスク状記録媒体に対する情報信号の記録や再生を行うディスクドライブ装置があり、このようなディスクドライブ装置は、ディスクテーブルに装着されるディスク状記録媒体の半径方向へ移動し該ディスク状記録媒体に対して対物レンズを介してレーザー光を照射する光ピックアップを備えている。
【０００３】
このようなディスクドライブ装置によって情報信号の記録や再生が行われるディスク状記録媒体には、例えば、ＣＤ（Ｃｏｍｐａｃｔ　Ｄｉｓｃ）やＣＤより記録密度の向上が図られたＤＶＤ（Ｄｉｇｉｔａｌ　Ｖｅｒｓａｔｉｌｅ　Ｄｉｓｃ）と称されるものがある。
【０００４】
記録密度を高めるためにはディスク状記録媒体の記録面上に集光されるビームスポットの径を小さくする必要があり、ビームスポットの径は、対物レンズの開口数をＮＡとしレーザー光の波長をλとすると、λ／ＮＡで表され、開口数ＮＡに反比例し、波長λに比例する。従って、記録密度の向上を図るためには、開口数ＮＡを大きくすると共に波長λを小さくする必要がある。
【０００５】
例えば、ＣＤに対する光学系においては、開口数ＮＡが約０．４５であり、波長λが約７８０ｎｍとされているのに対し、ＣＤより記録密度の高いＤＶＤに対する光学系においては、開口数ＮＡが約０．６であり、波長λが約６５０ｎｍとされている。
【０００６】
ディスク状記録媒体については、一層の記録密度の向上を目的として、青色半導体レーザーを使用し記録密度がＤＶＤの３乃至５倍程度のＨＤ―ＤＶＤの開発が進められており、ＨＤ―ＤＶＤに対する光学系においては、開口数ＮＡが約０．８５であり、波長λが約４０５ｎｍとされている。
【０００７】
【発明が解決しようとする課題】
ところが、特に、青色半導体レーザーのような短波長のレーザー光を使用する場合には、再生時のように出力が小さいときにはレーザーのノイズが大きくなるという性質があるため、光ピックアップの性能が劣化してしまうことがある。
【０００８】
半導体レーザーは、情報信号の再生時には低出力で使用されるが、情報信号の記録時にはディスク状記録媒体の記録層にピットを形成する必要があるため再生時の１０乃至２０倍程度の高出力で使用される。従って、情報信号の再生時にノイズによる影響が大きく光ピックアップの性能の劣化を来たし易い。
【０００９】
また、波長λが約６５０ｎｍ付近の赤色レーザや波長λが約７８０ｎｍ付近の赤外レーザを用いるディスクドライブ装置においても、定格出力の大きな半導体レーザーを用いる場合には、低出力で使用したときに上記と同様にノイズの影響が大きく、光ピックアップの性能を劣化させてしまうおそれがある。
【００１０】
一般に、光ピックアップにおける情報信号の再生限界はＳ／Ｎ比によって左右されるため、上記のような光ピックアップの性能の劣化を防止するにはＳ／Ｎ比を改善することが重要とされる。
【００１１】
そこで、本発明光ピックアップ及びディスクドライブ装置は、上記した問題点を克服し、Ｓ／Ｎ比を改善することにより性能の向上を図ることを課題とする。
【００１２】
【課題を解決するための手段】
本発明光ピックアップ及びディスクドライブ装置は、上記した課題を解決するために、ディスク状記録媒体に対する情報信号の再生時に、発光素子から出射されたレーザー光を複数の光ビームに分割するビーム分割素子と、該ビーム分割素子によって分割された各光ビームの各ビームスポットをディスク状記録媒体の記録トラック上に所定の間隔を置いて集光させる対物レンズとを設け、各ビームスポットの記録トラック上の間隔に対応した時間差を以て受光素子で受光される分割された各光ビームを、受光される順に第１ビームから第ｎビームまでとしたときに、第ｎビームを除く各光ビームについて出力される信号を、受光素子で受光される第ｎビームとの時間差分だけ遅延させて第ｎビームについて出力される信号に加算してＲＦ信号を生成するようにしたものである。
【００１３】
従って、本発明光ピックアップ及びディスクドライブ装置にあっては、相関性のないノイズ成分同士が加算されると共に同一の信号成分が加算される。
【００１４】
【発明の実施の形態】
以下に、本発明光ピックアップ及びディスクドライブ装置の実施の形態を添付図面を参照して説明する。
【００１５】
ディスクドライブ装置１は、外筐２内に所要の各部材及び各機構が配置されて成る（図１参照）。
【００１６】
外筐２内にはシャーシ３が配置され、該シャーシ３に図示しないスピンドルモーターが取り付けられている。スピンドルモーターのモーター軸にはディスクテーブル４が固定されている。
【００１７】
シャーシ３には配置孔３ａが形成され、ディスクテーブル４が配置孔３ａを介してシャーシ３の上方へ突出されている。
【００１８】
シャーシ３の下面側には、リードスクリュー５とガイド軸６、６とが平行な状態で配置されている。シャーシ３の配置孔３ａには、光ピックアップ７がディスクテーブル４に装着されるディスク状記録媒体（ＨＤ−ＤＶＤ）１００の半径方向へ移動可能な状態で配置されている。
【００１９】
光ピックアップ７は移動ベース８と該移動ベース８に設けられた所要の光学要素（光学素子）と移動ベース８上に支持された対物レンズ駆動装置９とを有し、移動ベース８の両端部がそれぞれガイド軸６、６に摺動自在に支持されている。移動ベース８に設けられた図示しないナット部材がリードスクリュー５に螺合され、移動ベース８に取り付けられた図示しない送りモーターによってリードスクリュー５が回転されると、ナット部材がリードスクリュー５の回転方向に応じた方向へ送られ、光ピックアップ７がガイド軸６、６に案内されてディスクテーブル４に装着されるディスク状記録媒体１００の半径方向へ移動される。
【００２０】
対物レンズ駆動装置９は固定部１０と該固定部１０に複数のサスペンション１１、１１、・・・を介して移動可能に支持された可動部１２とを有し、該可動部１２に対物レンズ１３が保持されている（図１参照）。
【００２１】
移動ベース８には、所要の各光学要素が配置されている（図２参照）。
【００２２】
光学要素としては、発光素子１４、第１のコリメーターレンズ１５、ビーム分割素子１６、ビームスプリッター１７、上記対物レンズ駆動装置９に設けられた対物レンズ１３、第２のコリメーターレンズ１８及び受光素子１９等であり、これらの各光学要素によってディスクドライブ装置１の光学系が構成される。
【００２３】
発光素子１４としては、例えば、半導体レーザーが用いられ、ディスク状記録媒体１００に対して４０５ｎｍ付近の波長を有する青色のレーザー光が出射される。
【００２４】
ビーム分割素子１６は入射したレーザー光を回折等することにより複数の光ビームに分割する機能を有し、ビーム分割素子１６としては、例えば、グレーティング、ホログラフィック回折格子、液晶グレーティング等の回折素子が用いられる。
【００２５】
ビームスプリッター１７は、例えば、透過型であり、発光素子１４から出射されたレーザー光を分離面１７ａで透過して対物レンズ１３へ導き、ディスク状記録媒体１００で反射されたレーザー光の戻り光を反射して受光素子１９へ導く機能を有する。
【００２６】
第１のコリメターレンズ１５は入射されたレーザー光の光束を平行光束にする機能を有し、対物レンズ１３は入射されたレーザー光、即ち、ビーム分割素子１６によって分割された各光ビームをディスク状記録媒体１００の記録トラック上にそれぞれ集光させる機能を有し、第２のコリメターレンズ１８は入射されたレーザー光の光束を受光素子１９に集光させる機能を有する。
【００２７】
受光素子１９には、ビーム分割素子１６によって分割されたレーザー光をそれぞれ受光するための受光部１９ａ、１９ａが設けられている。
【００２８】
以上のように構成された光学系において、情報信号の再生動作時に、発光素子１４からレーザー光が出射されると、出射されたレーザー光は第１のコリメターレンズ１５によって平行光束とされてビーム分割素子１６に入射される。レーザー光はビーム分割素子１６によって、例えば、０次光と＋１次光の第１ビーム及び第２ビームに分割されてビームスプリッター１７に入射される。このときビーム分割素子１６によって、入射されたレーザー光が同一の光量を有するように第１ビームと第２ビームに分割されるようにすることが望ましい。
【００２９】
分割されたレーザー光は、ビームスプリッター１７の分離面１７ａを透過されて対物レンズ１３を介してディスクテーブル４に装着されたディスク状記録媒体１００の記録面に照射される。分割されたレーザー光がディスク状記録媒体１００の記録面に照射されたときには、当該レーザー光が対物レンズ１３によって記録トラックＴ上に集光され、第１ビームのビームスポットＳ１と第２ビームのビームスポットＳ２とが、記録トラックＴ上に所定の間隔を置いて形成される（図３参照）。
【００３０】
ディスク状記録媒体１００の記録面に照射されたレーザー光は、該記録面で反射されて戻り光として再び対物レンズ１３を介してビームスプリッター１７に入射される。ビームスプリッター１７に入射された戻り光は、ビームスプリッター１７の分離面１７ａで反射されて第２のコリメターレンズ１８を介して受光素子１９に集光されて入射される。受光素子１９に入射された第１ビーム及び第２ビームは、それぞれ受光部１９ａ、１９ａで受光され、独立に光電変換されて再生信号成分を含むそれぞれのＲＦ信号が生成される。
【００３１】
このとき同時にフォーカシング誤差信号及びトラッキング誤差信号の検出が行われ、この検出結果に基づいて対物レンズ駆動装置９の可動部１２が固定部１３に対して変位されてフォーカシング調整及びトラッキング調整が行われる。フォーカシング調整及びトラッキング調整は、検出されたフォーカシング誤差信号又はトラッキング誤差信号に基づく制御信号が、制御回路２０から光ピックアップ７へ向けて送出されることにより行われる（図４参照）。
【００３２】
トラッキング誤差信号は光ピックアップ７に設けられたスレッドモーター２１に対する制御にも利用され、スレッドモーター２１は制御回路２０からの指令信号を受けて回転制御され、このスレッドモーター２１の回転に伴って光ピックアップ７がディスク状記録媒体１００の半径方向へ移動される。
【００３３】
一方、受光部１９ａ、１９ａで受光された第１ビーム及び第２ビームに対応する各ＲＦ信号は、ディスク状記録媒体１００の記録トラックＴ上に形成されたビームスポットＳ１とビームスポットＳ２との距離分だけ時間差を以て生成される。この時間差をτとすると、時間差τはビームスポットＳ１とビームスポットＳ２との距離Ｌをディスク状記録媒体１００の線速度Ｖで除した値となる。従って、図５（ａ）、（ｂ）に示すように、第１ビームと第２ビームについての各ＲＦ信号は時間差τ＝Ｌ／Ｖ分だけずれて出力される。
【００３４】
第１ビームについてのＲＦ信号は遅延回路２２に入力され、該遅延回路２２によって時間差τ分だけ遅延されて加算回路２３に入力される（図５（ｃ）参照）。
【００３５】
第２ビームについてのＲＦ信号は遅延されることなく加算回路２３に入力され、第２ビームについてのＲＦ信号に時間差τ分だけ遅延された第１ビームについてのＲＦ信号が加算され、ディスク状記録媒体１００の記録トラックの同一の位置における記録情報についてのＲＦ信号が出力される（図５（ｄ）参照）。各ＲＦ信号が加算回路２３によって加算されると、再生信号成分は２倍となり、例えば、３ｄＢ＋３ｄＢにより６ｄＢ上昇する。このとき加算された各ノイズ成分間に相関性はないため平均化され、√２倍の３ｄＢとなる。
【００３６】
従って、上記のようにＲＦ信号を遅延させて加算した結果、Ｓ／Ｎ比は３ｄＢ分改善されることになる。
【００３７】
加算されたＲＦ信号は復調回路２４に送出されてチャンネルコーディングが復調され、エラー訂正回路２５に送出されて誤り訂正が行われ再生データーが生成される。その後再生データーはインターフェース回路２６に送出され、ビデオ処理回路２７、オーディオ処理回路２８、ホストコンピューター２９等の各部に送出されて所定の処理が行われる。
【００３８】
以上に記載した通り、ディスクドライブ装置１にあっては、レーザー光を第１ビームと第２ビームに分割するビーム分割素子１６を設け、第１ビームについてのＲＦ信号を時間差τ分だけ遅延させて第２ビームについてのＲＦ信号に加算している。
【００３９】
従って、ノイズ成分に比し信号成分が相対的に上昇することによりＳ／Ｎ比が改善され、光ピックアップ７の性能の劣化を防止することができる。特に、青色半導体レーザーのような短波長のレーザー光を情報信号の再生時に小さな出力で用いる場合に本発明を用いることは、光ピックアップの性能の維持という点で極めて有効である。
【００４０】
また、ビーム分割素子１６によって発光素子１４から出射されたレーザー光を複数の光ビームに分割することにより、発光素子（半導体レーザー）１４の出力を分割することになり、その分、発光素子１４の出力を高くすることができ、ノイズの影響を低減することができる。
【００４１】
尚、情報信号の記録動作時においてレーザー光を分割すると、分割された２つの光ビームによってディスク状記録媒体１００の記録層に各別のピットが形成されてしまい、情報信号の適正な記録を行うことができなくなってしまう。従って、情報信号の記録及び再生を行うディスクドライブ装置においては、ビーム分割素子１６として、例えば、液晶グレーティング等を用いることにより、情報信号の再生時にのみレーザー光を分割させるようにすることが可能である。例えば、液晶グレーティングの液晶層に再生時と記録時とで異なる電圧を印加して液晶の配列状態を変化させ、再生時にはレーザー光の回折が行われ、記録時にはレーザー光の回折が行われないようにする。
【００４２】
このように再生時にのみレーザー光を分割してＲＦ信号を遅延させて加算すれば、情報信号の再生時におけるノイズの影響を低減することができると共に記録動作において不必要な処理を行わないため情報信号の適正な記録を行うことができる。
【００４３】
尚、上記には第１ビームとして０次光を用い、第２ビームとして＋１次光を用いた例を示したが、逆に、第１ビームとして＋１次光を用い、第２ビームとして０次光を用いることもできる。また、第１ビームと第２ビームの組み合わせは任意であり、例えば、第１ビーム及び第２ビームとして０次光及び−１次光を用いてもよい。
【００４４】
上記には、ビーム分割素子１６によってレーザー光を２つのビームに分割するディスクドライブ装置１について説明したが、以下に示すディスクドライブ装置１Ａのように、レーザー光を３つ以上のビームに分割してＲＦ信号の加算を行うようにしてもよい。尚、レーザー光を３つ以上のビームに分割するディスクドライブ装置１Ａについての説明においては、レーザー光を２つのビームに分割するディスクドライブ装置１に比し、遅延回路の数及び受光素子の受光部の数が増加することのみが相違するため、以下のディスクドライブ装置１Ａの説明においては、ディスクドライブ装置１における説明と比較して異なる部分についてのみ詳細に説明をし、その他の部分についてはディスクドライブ装置１における同様の部分に付した符号と同じ符号を付して説明は省略する。
【００４５】
レーザー光を分割する数をｎとすると、ディスクドライブ装置１Ａには、（ｎ―１）個の複数の遅延回路２２（１）、２２（２）、・・・、２２（ｎ‐１）が設けられている（図６参照）。受光素子１９には、分割される各光ビームの数と同数の複数の受光部１９ａ、１９ａ、・・・が設けられている。
【００４６】
ディスクドライブ装置１Ａに設けられた光学系は、ディスクドライブ装置１に設けられた光学系と同様の構成とされている。ディスクドライブ装置１Ａの光学系において、情報信号の再生動作時に、発光素子１４からレーザー光が出射されると、出射されたレーザー光は第１のコリメターレンズ１５を介してビーム分割素子１６に入射され、３つ以上の複数の光ビームに分割される。分割されたレーザー光は、それぞれ第１ビーム、第２ビーム、・・・、第（ｎ―１）ビーム、第ｎビームとされる。
【００４７】
分割された各光ビームはディスク状記録媒体１００の記録面に照射され、第１ビームのビームスポットＳ１、第２ビームのビームスポットＳ２、・・・、第（ｎ―１）ビームのビームスポットＳ（ｎ―１）、第ｎビームのビームスポットＳｎとして記録トラックＴ上にそれぞれ所定の間隔を置いて形成される（図７参照）。この所定の間隔は等間隔であってもよく、また、隣り合う各ビームスポットＳ１、Ｓ２、・・・、Ｓ（ｎ―１）、Ｓｎ間毎に異なっていてもよい。
【００４８】
ディスク状記録媒体１００の記録面に照射されたレーザー光は、該記録面で反射されて戻り光として再び対物レンズ１３、ビームスプリッター１７及び第２のコリメターレンズ１８を介して受光素子１９に入射される。受光素子１９に入射された第１ビーム、第２ビーム、・・・、第（ｎ―１）ビーム、第ｎビームは、それぞれ受光部１９ａ、１９ａ、・・・で受光され、独立に光電変換されて再生信号成分を含むそれぞれのＲＦ信号が生成される。
【００４９】
第１ビームに対応するＲＦ信号は、第ｎビームに対応するＲＦ信号と比較して、ディスク状記録媒体１００の記録トラックＴ上に形成されたビームスポットＳ１とビームスポットＳｎとの距離分だけ時間差を以て生成される。この時間差τ１は、ビームスポットＳ１とビームスポットＳｎ間の距離をＬ１とし、ディスク状記録媒体１００の線速度をＶとすると、Ｌ１／Ｖで表される。
【００５０】
第２ビームに対応するＲＦ信号は、第ｎビームに対応するＲＦ信号と比較して、ディスク状記録媒体１００の記録トラックＴ上に形成されたビームスポットＳ２とビームスポットＳｎとの距離分だけ時間差を以て生成される。この時間差τ２は、ビームスポットＳ２とビームスポットＳｎ間の距離をＬ２とし、ディスク状記録媒体１００の線速度をＶとすると、Ｌ２／Ｖで表される。
【００５１】
同様に、τ３＝Ｌ３／Ｖ、・・・、τ（ｎ−１）＝Ｌ（ｎ−１）／Ｖとなる。
【００５２】
第１ビームについてのＲＦ信号は遅延回路２２（１）に入力され、該遅延回路２２（１）によって時間差τ１分だけ遅延されて加算回路２３に入力され、第ｎビームについてのＲＦ信号に加算される（図６参照）。
【００５３】
第２ビームについてのＲＦ信号は時間差τ２分だけ遅延されて加算回路２３に入力され、第ｎビームについてのＲＦ信号に加算され、以下同様にして、第（ｎ−１）ビームについてのＲＦ信号は時間差τｎ分だけ遅延されて加算回路２３に入力され、第ｎビームについてのＲＦ信号に加算される。
【００５４】
以上に記載した通り、ディスクドライブ装置１Ａにあっては、レーザー光を３つ以上の複数の光ビームに分割して、各光ビームについてのＲＦ信号をそれぞれ所定の時間差分だけ遅延させて第ｎビームについてのＲＦ信号に加算している。
【００５５】
従って、ノイズ成分に比し信号成分が相対的に大きく上昇することによりＳ／Ｎ比が改善され、光ピックアップ７の性能の劣化を防止することができる。特に、青色半導体レーザーのような短波長のレーザー光を情報信号の再生時に小さな出力で用いる場合に本発明を用いることは、光ピックアップの性能の維持という点で極めて有効である。
【００５６】
また、ビーム分割素子１６によって発光素子１４から出射されたレーザー光を複数の光ビームに分割することにより、発光素子（半導体レーザー）１４の出力を分割することになり、その分、発光素子１４の出力を高くすることができ、ノイズの影響を低減することができる。
【００５７】
さらに、ディスクドライブ装置１Ａにあっても、ディスクドライブ装置１と同様に、情報信号の記録及び再生を行う場合においては、再生時にはレーザー光の回折が行われ、記録時にはレーザー光の回折が行われないようにすることができる。
【００５８】
上記した実施の形態において示した各部の具体的な形状及び構造は、何れも本発明を実施する際の具体化のほんの一例を示したものにすぎず、これらによって本発明の技術的範囲が限定的に解釈されることがあってはならないものである。
【００５９】
【発明の効果】
以上に記載したところから明らかなように、本発明光ピックアップは、ディスクテーブルに装着されるディスク状記録媒体の半径方向へ移動すると共に、ディスク状記録媒体へ向けてレーザー光を出射する発光素子と、該発光素子から出射されディスク状記録媒体で反射されたレーザー光を戻り光として受光する受光素子とを備えた光ピックアップであって、ディスク状記録媒体に対する情報信号の再生時に、発光素子から出射されたレーザー光を複数の光ビームに分割するビーム分割素子と、該ビーム分割素子によって分割された各光ビームの各ビームスポットをディスク状記録媒体の記録トラック上に所定の間隔を置いて集光させる対物レンズとを備え、各ビームスポットの記録トラック上の間隔に対応した時間差を以て受光素子で受光される分割された各光ビームを、受光される順に第１ビームから第ｎビームまでとしたときに、第ｎビームを除く各光ビームについて出力される信号を、受光素子で受光される第ｎビームとの時間差分だけ遅延させて第ｎビームについて出力される信号に加算してＲＦ信号を生成するようにしたことを特徴とする。
【００６０】
従って、ノイズ成分に比し信号成分が相対的に上昇することによりＳ／Ｎ比が改善され、光ピックアップの性能の劣化を防止することができる。
【００６１】
また、ビーム分割素子によって発光素子から出射されたレーザー光を複数の光ビームに分割することにより、発光素子の出力を分割することになり、その分、発光素子の出力を高くすることができ、ノイズの影響を低減することができる。
【００６２】
請求項２に記載した発明にあっては、ディスク状記録媒体に対して情報信号の記録及び再生を行う光ピックアップにおいて、情報信号の記録時にはビーム分割素子によるレーザー光の分割を行わないようにしたので、情報信号の再生時におけるノイズの影響を低減することができると共に記録動作において不必要な処理を行わないため情報信号の適正な記録を行うことができる。
【００６３】
本発明ディスクドライブ装置は、ディスク状記録媒体が装着されて回転されるディスクテーブルと該ディスクテーブルに装着されるディスク状記録媒体の半径方向へ移動する光ピックアップとを備え、該光ピックアップがディスク状記録媒体へ向けてレーザー光を出射する発光素子と、該発光素子から出射されディスク状記録媒体で反射されたレーザー光を戻り光として受光する受光素子とを有するディスクドライブ装置であって、ディスク状記録媒体に対する情報信号の再生時に、発光素子から出射されたレーザー光を複数の光ビームに分割するビーム分割素子と、該ビーム分割素子によって分割された各光ビームの各ビームスポットをディスク状記録媒体の記録トラック上に所定の間隔を置いて集光させる対物レンズとを備え、各ビームスポットの記録トラック上の間隔に対応した時間差を以て受光素子で受光される分割された各光ビームを、受光される順に第１ビームから第ｎビームまでとしたときに、第ｎビームを除く各光ビームについて出力される信号を、受光素子で受光される第ｎビームとの時間差分だけ遅延させて第ｎビームについて出力される信号に加算してＲＦ信号を生成するようにしたことを特徴とする。
【００６４】
従って、ノイズ成分に比し信号成分が相対的に上昇することによりＳ／Ｎ比が改善され、光ピックアップの性能の劣化を防止することができ、ディスクドライブ装置の良好な性能を維持することができる。
【００６５】
また、ビーム分割素子によって発光素子から出射されたレーザー光を複数の光ビームに分割することにより、発光素子の出力を分割することになり、その分、発光素子の出力を高くすることができ、ノイズの影響を低減することができる。
【００６６】
請求項４に記載した発明にあっては、ディスク状記録媒体に対して情報信号の記録及び再生を行う光ピックアップを備えたディスクドライブ装置において、情報信号の記録時にはビーム分割素子によるレーザー光の分割を行わないようにしたので、情報信号の再生時におけるノイズの影響を低減することができると共に記録動作において不必要な処理を行わないため情報信号の適正な記録を行うことができる。
【図面の簡単な説明】
【図１】図２乃至図７と共に本発明の実施の形態を示すものであり、本図はディスクドライブ装置の概略斜視図である。
【図２】光ピックアップに設けられた光学系の構成を示す概念図である。
【図３】ディスク状記録媒体の記録トラック上に集光されたビームスポットの状態を示す概念図である。
【図４】ディスクドライブ装置の回路構成を示すブロック図である。
【図５】各信号を示す波形図であり、（ａ）は第１ビームについてのＲＦ信号を示し、（ｂ）は第２ビームについてのＲＦ信号を示し、（ｃ）は第１ビームについての遅延されたＲＦ信号を示し、（ｄ）は加算されたＲＦ信号を示すものである。
【図６】レーザー光が３つ以上の光ビームに分割されるディスクドライブ装置の回路構成を示すブロック図である。
【図７】レーザー光が３つ以上の光ビームに分割されるディスクドライブ装置における、ディスク状記録媒体の記録トラック上に集光されたビームスポットの状態を示す概念図である。
【符号の説明】
１…ディスクドライブ装置、４…ディスクテーブル、７…光ピックアップ、１３…対物レンズ、１４…発光素子、１６…ビーム分割素子、１９…受光素子、１００…ディスク状記録媒体、１Ａ…ディスクドライブ装置
【図１】
2004079038.tif 000003
【図２】
2004079038.tif 000004
【図３】
2004079038.tif 000005
【図４】
2004079038.tif 000006
【図５】
2004079038.tif 000007
【図６】
2004079038.tif 000008
【図７】
2004079038.tif 000009